(57)【要約】【課題】画面からの距離に応じて表示画像を制御することによって、適切な画像が視認でき、併せて、消費電力を低減できる携帯型端末装置を提供する。【解決手段】携帯電話装置１０１は、表示デバイス１０と、表示デバイス１０のＬＣＤ１１から前方に位置する使用者２００までの距離Ｌｅｙｅを計測する超音波近接センサ２０と、超音波近接センサ２０によって計測された距離Ｌｅｙｅに対応する信号Ｌ０の出力レベルＶＬ０を所定の閾値ＴＨ１と比較して、比較結果信号Ｃ０を出力する判別回路３０と、取得された画像データＤ０に基づいた画像をＬＣＤ１１に表示させるグラフィックエンジン４０と、装置全体の動作を制御するＣＰＵ５０とを有し、比較結果信号Ｃ０に基づいて、表示デバイス１０に表示される画像の画素数を切り換える。【選択図】        図１
2006332726.tif 000002
【特許請求の範囲】
【請求項１】
画像を表示する表示手段と、
前記表示手段から該表示手段の前に位置する物体までの距離を計測する距離計測手段と、
前記距離計測手段によって計測された距離を所定の第１の閾値と比較して、第１の比較結果信号を出力する判別手段と、
取得された画像データに基づいた画像を前記表示手段に表示させる制御手段と
を有し、
前記制御手段は、前記第１の比較結果信号に基づいて、前記表示手段に表示される画像の画素数を切り換える
ことを特徴とする携帯型端末装置。
【請求項２】
前記距離計測手段によって計測された距離が前記第１の閾値以上のときに、前記制御手段は、前記表示手段に表示される画像の画素数を第１の画素数とし、
前記距離計測手段によって計測された距離が前記第１の閾値より短いときに、前記制御手段は、前記表示手段に表示される画像の画素数を前記第１の画素数より多い第２の画素数とする
ことを特徴とする請求項１に記載の携帯型端末装置。
【請求項３】
前記判別手段は、前記距離計測手段によって計測された距離を所定の第２の閾値と比較して、第２の比較結果信号を出力し、
前記制御手段は、前記第２の比較結果信号に基づいて、前記表示手段に表示される画像の輝度を切り換える
ことを特徴とする請求項１又は２のいずれかに記載の携帯型端末装置。
【請求項４】
前記距離計測手段によって計測された距離が前記第２の閾値より短いときに、前記制御手段は、前記表示手段に表示される画像の輝度を低下させることを特徴とする請求項３に記載の携帯型端末装置。
【請求項５】
前記表示手段は、液晶表示デバイスであり、
前記輝度の切り換えは、前記液晶表示デバイスのバックライトの輝度の切り換えによって行われる
ことを特徴とする請求項３又は４のいずれかに記載の携帯型端末装置。
【請求項６】
前記判別手段は、前記距離計測手段によって計測された距離を所定の第２の閾値と比較し、
前記距離計測手段によって計測された距離が前記第２の閾値より短いときに、前記制御手段は、前記表示手段を非表示状態にする
ことを特徴とする請求項１又は２のいずれかに記載の携帯型端末装置。
【請求項７】
画像を表示する表示手段と、
前記表示手段から該表示手段の前に位置する物体までの距離を計測する距離計測手段と、
前記距離計測手段によって計測された距離を所定の閾値と比較して、比較結果信号を出力する判別手段と、
取得された画像データに基づいた画像を前記表示手段に表示させる制御手段と
を有し、
前記制御手段は、前記比較結果信号に基づいて、前記表示手段に表示される画像の輝度を切り換える
ことを特徴とする携帯型端末装置。
【請求項８】
前記距離計測手段によって計測された距離が前記閾値より短いときに、前記制御手段は、前記表示手段に表示される画像の輝度を低下させた画像を表示させることを特徴とする請求項７に記載の携帯型端末装置。
【請求項９】
前記表示手段は、液晶表示デバイスであり、
前記輝度の切り換えは、前記液晶表示パネルのバックライトの輝度の切り換えによって行われる
ことを特徴とする請求項８に記載の携帯型端末装置。
【発明の詳細な説明】
【技術分野】
【０００１】
本発明は、画像表示機能付き携帯電話装置やＰＤＡ（Ｐｅｒｓｏｎａｌ  Ｄｉｇｉｔａｌ  Ａｓｓｉｓｔａｎｔｓ）装置のような携帯型端末装置に関し、特に、表示画像の制御に関するものである。
【背景技術】
【０００２】
従来の画像表示機能付き携帯型端末装置は、画面から使用者の目までの距離に基づいて表示画像を制御する機能を持っていない。
【０００３】
また、画面からこれを見る人までの距離に基づいて画像を制御する画像表示装置の提案があるが（例えば、特許文献１参照）、画面から人までの距離が所定の距離より短くなったときに、画像を非表示状態として人が画面から離れざるを得ないようにするものであった。
【０００４】
【特許文献１】特開平０６−１３３２５６号公報
【発明の開示】
【発明が解決しようとする課題】
【０００５】
しかし、上記従来の携帯型端末装置においては、画面に目を非常に近づけて表示画像を見る場合に、表示画像を構成する画素まで識別できてしまい、表示画像の粗さが目立つように感じられ、表示画像の品質が低下したかのような印象を受けることがあるという問題がある。
【０００６】
また、画面において表示させる画素数が多い場合には、複雑且つ高速な画像処理が必要になり、消費電力が増大し、その結果、内蔵電池で動作する携帯型端末装置の動作可能時間が短くなってしまうという問題がある。
【０００７】
さらに、特許文献１に記載の画像表示装置においては、画面に近づいて視認しようとすると画像が非表示状態になるので、画面に近づいて表示画像を見たい場合に、不都合が生じるという問題がある。
【０００８】
そこで、本発明は、上記のような従来技術の課題を解決するためになされたものであり、その目的は、画面からの距離に応じて表示画像を制御することによって、適切な画像が視認でき、併せて、消費電力を低減できる携帯型端末装置を提供することにある。
【課題を解決するための手段】
【０００９】
本発明の携帯型端末装置は、画像を表示する表示手段と、前記表示手段から該表示手段の前に位置する物体までの距離を計測する距離計測手段と、前記距離計測手段によって計測された距離を所定の第１の閾値と比較して、第１の比較結果信号を出力する判別手段と、取得された画像データに基づいた画像を前記表示手段に表示させる制御手段とを有し、前記制御手段は、前記第１の比較結果信号に基づいて、前記表示手段に表示される画像の画素数を切り換えることを特徴とするものである。
【発明の効果】
【００１０】
本発明によれば、画面からの距離に応じて表示画像を制御するので、装置の使用者は適切な画像が視認でき、併せて、消費電力を抑制できるという効果を得ることができる。
【発明を実施するための最良の形態】
【００１１】
実施の形態１．
図１は、本発明の実施の形態１に係る携帯型端末装置としての画像表示機能付きの携帯電話装置１０１の構成を概略的に示す図である。
【００１２】
図１に示されるように、実施の形態１に係る携帯電話装置１０１は、画像を表示する表示手段としての表示デバイス１０を有する。表示デバイス１０は、画像を表示する液晶表示パネル（以下「ＬＣＤ」と記す。）１１と、ＬＣＤ１１を駆動させる回路である表示ドライバ１２と、バックライト１３及びこれを駆動させるバックライトコントローラ１４を含むバックライトユニット１５とを有する。ＬＣＤ１１としては、例えば、ＱＶＧＡ（２４０画素×３２０ライン）サイズのパネル、又は、ＶＧＡ（４８０画素×６４０ライン）サイズのパネルを用いることができる。表示ドライバ１２としては、ＬＣＤ１１の表示画素数に対応した表示ドライバを使用する。ただし、表示デバイス１０は、液晶表示デバイスに限定されず、有機ＥＬ表示デバイスのような他の表示デバイスであってもよい。なお、以下の説明においては、ＬＣＤ１１が、ＶＧＡ（４８０画素×６４０ライン）サイズのパネルであり、表示画像を、４８０画素×６４０ラインの画素数の画像、又は、２４０画素×３２０ラインの画像に切り換えることができる装置について説明する。
【００１３】
また、実施の形態１に係る携帯電話装置１０１は、ＬＣＤ１１からこのＬＣＤ１１の前に位置する物体（図１においては、装置の使用者２００の顔（例えば、目又はその周辺部））までの距離Ｌｅｙｅを計測する距離計測手段としての超音波近接センサ２０と、超音波近接センサ２０によって計測された距離を所定の第１の閾値ＴＨ１と比較して、第１の比較結果信号Ｌ０を出力する判別手段としての判別回路３０と、ダウンロード等によって取得された画像データＤ０に基づいた画像をＬＣＤ１１に表示させるグラフィックエンジン４０と、装置全体の動作を制御するＣＰＵ（中央演算装置）５０とを有する。グラフィックエンジン４０とＣＰＵ５０とは、表示デバイス１０における画像表示動作を制御する制御手段を構成する。
【００１４】
超音波近接センサ２０は、超音波を発信し、物体からの反射波を受信し、発信した超音波に対して反射波がどの程度遅延して受信されるか（すなわち、遅延量）を計測することによって、物体までの距離を計測する。図１には、超音波近接センサ２０から発せられた入射波Ｕ１が、使用者２００の顔に当たり、顔で反射し、反射波Ｕ２として超音波近接センサ２０に戻る場合が示されている。なお、超音波近接センサ２０は、ドップラー効果を利用して入射波Ｕ１と反射波Ｕ２の周波数の差を演算することにより、超音波近接センサ２０から使用者２００までの距離Ｌｅｙｅを計測するものであってもよい。また、距離測定手段として、上記以外のセンサを用いてもよい。
【００１５】
超音波近接センサ２０は、超音波近接センサ２０から使用者２００までの距離Ｌｅｙｅに対応した出力レベル（例えば、電圧〔Ｖ〕）ＶＬ０の出力信号Ｌ０を出力する。図２は、超音波近接センサ２０の出力信号Ｌ０の出力レベルＶＬ０が、超音波近接センサ２０から使用者２００までの距離Ｌｅｙｅ〔ｃｍ〕に比例している場合の、計測距離Ｌｅｙｅ〔ｃｍ〕と出力レベルＶＬ０の関係を示す図である。図２は、例えば、超音波近接センサ２０の出力信号Ｌ０の出力レベルＶＬ０がＶ１０〔Ｖ〕のときに計測距離Ｌｅｙｅが１０〔ｃｍ〕であり、出力レベルＶＬ０がＶ３０〔Ｖ〕のときに計測距離Ｌｅｙｅが３０〔ｃｍ〕であることを示している。
【００１６】
図３は、携帯電話装置１０１とこの携帯電話装置１０１の画面を見ている使用者２００との位置関係を示す図である。また、図４（ａ）及び（ｂ）は、携帯電話装置１０１におけるＬＣＤ１１と超音波近接センサ２０の取り付け位置の例を示す正面図及び側面図である。図３及び図４（ｂ）に示されるように、ＬＣＤ１１と同じ表面高になるように、且つ、ＬＣＤ１１に近い位置に超音波近接センサ２０を設置することにより、ＬＣＤ１１から使用者２００の顔（例えば、目又はその周辺部）までの距離Ｌｅｙｅを計測する。
【００１７】
バックライトユニット４０のバックライトコントローラ１４は、バックライト１３の点灯時の明るさ（輝度）を制御することができるコントローラであり、ＣＰＵ５０からのバックライト制御信号Ｂ０に応じてバックライト１３の明るさを変化させる。例えば、バックライト制御信号Ｂ０の値が“１”から“１６”までの１６段階で変化する場合に、バックライトコントローラ１４は、バックライト１３の明るさを１６段階に制御する。例えば、バックライト制御信号Ｂ０の値が“１”のときにバックライト１３を最も暗く点灯させ、バックライト制御信号Ｂ０の値が“１６”のときにバックライト１３を最も明るく点灯させるように、バックライト制御信号Ｂ０の数値の増減に応じてバックライト１３の明るさを段階的に制御する。実施の形態１においては、バックライト制御信号Ｂ０の値が、バックライト１３を最も明るく点灯させる“１６”である場合を説明する。
【００１８】
次に、実施の形態１に係る携帯電話装置１０１の動作を説明する。図１及び図３に示されるように、使用者２００が、携帯電話装置１０１に顔を近づけてＬＣＤ１１に表示された画像を見ると、超音波近接センサ２０から発信される超音波Ｕ１が使用者２００の顔（例えば、目又はその周辺部）に当たり、反射波Ｕ２が超音波近接センサ２０に戻る。超音波近接センサ２０は、反射波Ｕ２を検出して、検出信号Ｌ０を出力する。
【００１９】
判別回路３０には、超音波近接センサ２０による検出信号Ｌ０と予め決められた閾値ＴＨ１とが入力される。判別回路３０は、検出信号Ｌ０の出力レベルＶＬ０と閾値ＴＨ１とを比較して、比較結果を示す出力値Ｃ０をグラフィックエンジン４０に出力する。判別回路３０は、超音波近接センサ２０からの出力信号Ｌ０の出力レベルＶＬ０と閾値ＴＨ１とを比較し、次の３種類の判別結果のいずれかを出力する。閾値ＴＨ１は超音波近接センサ２０により計測される物体である使用者２００までの距離Ｌｅｙｅに関して定められた値であり、判別回路３０は、図５のフローチャートに示される処理の結果、比較結果を示す出力値Ｃ０を発生してグラフィックエンジン４０に対して出力する。
【００２０】
図５は、判別回路３０における処理を示すフローチャートである。超音波近接センサ２０の出力信号Ｌ０の出力レベルＶＬ０及び閾値ＴＨ１は、例えば、正の整数値であり、超音波近接センサ２０によって計測される距離が大きくなるほど大きくなる値である。判別回路３０に超音波近接センサ２０の出力信号Ｌ０の出力レベルＶＬ０及び所定の閾値ＴＨ１が入力されると（ステップＳＴ１）、判別回路３０は、検出信号Ｌ０の出力レベルＶＬ０が閾値ＴＨ１より大きいかどうか（ＶＬ０＞ＴＨ１？）を判別する（ステップＳＴ２）。ＶＬ０＞ＴＨ１の場合は、判別回路３０は、比較結果を示す出力値Ｃ０として“０”を出力し（ステップＳＴ６）、それ以外の場合は、検出信号Ｌ０の出力レベルＶＬ０が閾値ＴＨ１より小さいかどうか（ＶＬ０＜ＴＨ１？）を判別する（ステップＳＴ３）。このとき、ＶＬ０＜ＴＨ１であれば、判別回路３０は、比較結果を示す出力値Ｃ０として“２”を出力し（ステップＳＴ４）、ＶＬ０＝ＴＨ１であれば、判別回路３０は、比較結果を示す出力値Ｃ０として“１”を出力する（ステップＳＴ５）。
【００２１】
次に、超音波近接センサ２０の出力信号Ｌ０に基づくＬＣＤ１１の表示画像の変更について説明する。ＣＰＵ５０は、携帯電話装置１０１におけるインターネットとのデータのやり取りの処理を司る。例えば、インターネット上のホームページ画像をＬＣＤ１１に表示する場合は、ＣＰＵ５０は、ホームページのグラフィックデータを一旦携帯電話装置１０１にダウンロードした上で、ダウンロードされたホームページのグラフィック画像Ｄ０を画像データＤ１としてグラフィックエンジン４０に転送する。
【００２２】
表示ドライバ１２は、ＬＣＤ１１の消費電力を最小状態に保持するためにＬＣＤ１１をスタンバイ状態（携帯電話装置の電源はオン状態のままであるが、ＬＣＤ１１画像を非表示にした状態）に設定することができる機能を有している。外部からの制御信号、例えば、図１における制御信号Ｃ２が“１”のときにスタンバイ状態、制御信号Ｃ２が“０”のときに通常表示状態に設定される。
【００２３】
また、グラフィックエンジン４０は、ＣＰＵ５０からの画像データＤ１から画像サイズ情報を抽出することにより、入力された画像の画像サイズを認識し、表示ドライバ１２に対して表示画像サイズを含めた各種画像情報や、システムとして消費電力を最小限に押さえるようなスタンバイ状態の場合にＬＣＤ１１の消費電力を最小限に押さえるための制御信号Ｃ２（＝“０”）を表示ドライバ１２に送る。また、グラフィックエンジン４０は、判別回路３０からの比較結果の出力値Ｃ０に応じて、表示ドライバ１２に出力する画像サイズを変更する。例えば、判別回路３０からの比較結果の出力値Ｃ０が“０”（ステップＳＴ６）又は“１”（ステップＳＴ５）の場合は、ＬＣＤ１１から使用者２００までの距離Ｌｅｙｅが閾値ＴＨ１に相当する値より大きくなった場合であることから、表示ドライバ１２に出力させる画像サイズ（すなわち、画像の画素数）を、例えば、２４０画素×３２０ラインの画素数の画像に変換して、画像情報Ｄ２とし出力する。
【００２４】
また、判別回路３０からの比較結果の出力値Ｃ０が“２”の場合は、ＬＣＤ１１から使用者２００までの距離Ｌｅｙｅが閾値ＴＨ１の値より小さくなった場合であることから、表示ドライバ１２に出力させる画像情報Ｄ２の画像サイズ（すなわち、画像の画素数）を、ＬＣＤ１１にて表示できる最大画素数である４８０画素×６４０ラインの画素数の画像として出力する。
【００２５】
ここで、ＬＣＤ１１に表示される画像を構成する画素のサイズと人間の目の分解能について説明する。一般に、目の分解能は、個人差もあるが、概ね視角１分（１°／６０≒０．０１７°）と言われ、例えば、視力検査の際に５〔ｍ〕離れた位置で視角１分の画像を判別できる能力を視力１．０と設定している。したがって、視力１．０の能力を超えた画像を表示させても、標準的な視力を備えた人間はその画像を読み取ることができないため、この分解能を超えない範囲で画像を表示させることが好ましい。
【００２６】
また、携帯電話装置１０１の使用者２００が、携帯電話装置１０１から一定距離をあけて、且つ、複数人で同時に画面を見る場合がある。例えば、距離Ｌｅｙｅを５０〔ｃｍ〕として使用する場合には、使用者２００が携帯電話装置１０１上のＬＣＤ１１で判別できる長さは、視角１分の場合は、以下の計算式
５００〔ｍｍ〕×ｔａｎ（１°／６０）
から、約０．１４〔ｍｍ〕となる。
【００２７】
例えば、一般的な携帯電話装置のＬＣＤ（例えば、大きさ２．２インチ、ＱＶＧＡ（横２４０画素×３２０ライン）のサイズ）においては、１ラインの幅は約０．０５〔ｍｍ〕となり、人間の目で区別できる長さより狭くなっている。したがって、人間の目で認識できる長さ以下の画像をＬＣＤに表示させても、人間の目では細かい画像の変化を認識できないため、無駄な情報を表示させていることになる。
【００２８】
一方、携帯電話装置１０１の使用者２００が１人で携帯電話装置１００上の画像を見る場合は、複数人で見る場合に比べ、よりＬＣＤ１１に目を近づけて使用する場合が多い。ここで、携帯電話装置１０１のＬＣＤ１１から携帯電話装置１０１の使用者２００の目までの距離が１５〔ｃｍ〕程度まで近づいた場合には、人間の区別できるＬＣＤ上の画素サイズは０．０４４〔ｍｍ〕となり、２．２インチのＬＣＤにおいて２４０画素×３２０ラインの画素数の画像より高精細の画像を表示させても人間の目は画像の変化を認識することが可能である。
【００２９】
このことは、携帯電話装置１０１のＬＣＤ１１から携帯電話装置１０１の使用者２００の目までの距離に応じて、人間の目の分解能に適した画像の精細度、すなわち画素サイズが存在することを示している。携帯電話装置１０１のＬＣＤ１１から携帯電話装置１０１の使用者２００の目までの距離と、それに最適なＬＣＤ１１への表示画素数の関係は前記の通りであるが、一方でＬＣＤ１１に表示させる画素サイズと、ＬＣＤ１１及び表示ドライバ１２にて消費される消費電力には一定の関係がある。
【００３０】
一般に、表示ドライバ１２に対しては、ＲＧＢ３色を各色数ビット程度の量子化ビット数の信号から構成されることから、例えば、１画素をＲＧＢ各色６ビット（再現色数２６万色）で表現する場合は、量子化ビット数は１８ビット（＝６ビット×３（色））であり、これをグラフィックエンジン４０から表示ドライバ１２に伝送する場合は１８本の信号線を用いて伝送することになる。
【００３１】
また、一般に、異なった２つのＩＣ間に信号を受け渡す場合、通常は信号を送り出す側のＩＣには送信バッファを設け、信号を受け取る側のＩＣには受信バッファを設ける必要がある。送信バッファ及び受信バッファは、回路構成上、消費電力が大きい素子を使用するため、表示画素数が多い場合には、信号の変化が起こる度に大電流が流れ、消費電力が増大する。
【００３２】
また、単純に表示画素数が増えると、ＣＰＵ５０又はグラフィックエンジン４０、及び表示ドライバ１２によって実行される信号処理は、画素数に比例して発生するとともに、それぞれが所有しているメモリとのやり取りを含めた信号処理数も増大することから、ＣＰＵ５０又はグラフィックエンジン４０、及び表示ドライバ１２での消費電力が増大する。
【００３３】
よって、消費電力を最小限にするためには、グラフィックエンジン４０内に設けられている送信バッファ及び、表示ドライバ１２の中に設けられている受信バッファによる単位時間あたりの信号変化の回数を最小限に押さえる必要があるとともに、ＣＰＵ５０又はグラフィックエンジン４０、及び表示ドライバ１２で処理する画像サイズ（すなわち、画像の画素数）を極力小さくすることが必要になる。
【００３４】
そこで、実施の形態１（ＬＣＤ１１がＶＧＡサイズである場合）において、超音波近接センサ２０によって計測された距離が閾値ＴＨ１以上のときに、ＬＣＤ１１に表示される画像を、第１の画素数（例えば、２４０画素×３２０ライン）とし、超音波近接センサ２０によって計測された距離が閾値ＴＨ１より短いときに、ＬＣＤ１１に表示される画像を第１の画素数より多い第２の画素数（例えば、４８０画素×６４０ライン）とする制御を行う。このように、実施の形態１においては、使用者２００の目がＬＣＤ１１から遠い場合には、画素数の多い表示をせずに、消費電力の低減を優先し、使用者２００の目がＬＣＤ１１に近い場合には、消費電力は増大するが、画素数の多い表示に切り換えて、使用者２００が適切な画像を視認できるようにしている。
【００３５】
以上に説明したように、実施の形態１に係る携帯電話装置１０１によれば、表示デバイス１０から使用者２００までの距離が変化しても常に使用者にとって最適な画像が表示デバイス１０に表示されることから、使用者２００にとって精細度の高い最適な画像を視認できるとともに、表示デバイス１０から使用者２００までの距離が閾値ＴＨ１以上の場合に、画像処理エンジンなどのＤＳＰでの処理が少なくなることから、グラフィックエンジン４０での消費電力が削減できるといった効果がある。
【００３６】
実施の形態２．
図６は、本発明の実施の形態２に係る携帯型端末装置としての画像表示機能付きの携帯電話装置１０２の構成を概略的に示す図である。図６において、図１の構成と同一又は対応する構成には、同一の符号を付す。
【００３７】
実施の形態２に係る携帯電話装置１０２は、表示デバイス１０のＬＣＤ１１から携帯電話装置１０２の使用者２００の顔（例えば、目又はその周辺部）までの距離Ｌｅｙｅに応じて表示デバイス１０のバックライト１３の明るさ（輝度）を制御する機能を追加した点が、実施の形態１に係る携帯電話装置１０１と相違する。
【００３８】
ＬＣＤ１１から携帯電話装置１０２の使用者２００までの距離Ｌｅｙｅが、例えば、５〔ｃｍ〕程度まで近づくような場合は、事実上人間の目でＬＣＤ１１上の画像全体を認識できないため、ＬＣＤ１１上に画像を表示させても良好に画像を視認できないことになる。このような場合は、ＬＣＤ１１からこのＬＣＤ１１の前方の物体（例えば、携帯電話装置１０２を衣服のポケットなどに収納した場合におけるポケット内面）は、ＬＣＤ１１とポケット内面の距離がほぼ０に近づくことから、実使用上ＬＣＤ１１に画像を表示させる意味が無い。
【００３９】
実施の形態２に係る携帯電話装置１０２においては、判別回路３０に、閾値ＴＨ１の他に閾値ＴＨ２が入力される。判別回路３０は、超音波近接センサ２０からの出力信号Ｌ０の出力レベルＶＬ０と閾値ＴＨ２とを比較し、比較結果を示す出力値Ｃ１をＣＰＵ５０及びグラフィックエンジン４０に出力する。ＣＰＵ５０は、比較結果を示す出力値Ｃ１に基づいてバックライトコントローラ１４の制御値Ｂ０を切り換え、バックライト１３の輝度を切り換える。超音波近接センサ２０によって計測された距離が閾値ＴＨ２より短いときに、ＣＰＵ５０は、表示デバイス１２のＬＣＤ１１に表示される画像の輝度を低下させる。
【００４０】
図７は、判別回路３０における処理内容を示すフローチャートである。超音波近接センサ２０の出力信号Ｌ０の出力レベルＶＬ０及び閾値ＴＨ２は、例えば、正の整数値であり、超音波近接センサ２０によって計測される距離を示す出力レベルＶＬ０及び所定の閾値ＴＨ２が入力されると（ステップＳＴ１１）、判別回路３０は、検出信号Ｌ０の出力レベルＶＬ０が閾値ＴＨ２より大きいかどうか（ＶＬ０＞ＴＨ２？）を判別する（ステップＳＴ１２）。ＶＬ０＞ＴＨ２の場合は、判別回路３０は、比較結果を示す出力値Ｃ１として“０”を出力し（ステップＳＴ１６）、それ以外の場合は、検出信号Ｌ０の出力レベルＶＬ０が閾値ＴＨ２より小さいかどうか（ＶＬ０＜ＴＨ２？）を判別する（ステップＳＴ１３）。このとき、ＶＬ０＜ＴＨ２であれば、判別回路３０は、比較結果を示す出力値Ｃ１として“２”を出力し（ステップＳＴ１４）、ＶＬ０＝ＴＨ２であれば、判別回路３０は、比較結果を示す出力値Ｃ１として“１”を出力する（ステップＳＴ１５）。
【００４１】
ここで、閾値ＴＨ２を、ＬＣＤ１１から使用者２００までの距離Ｌｅｙｅが５〔ｃｍ〕の場合の超音波近接センサ２０の出力レベルＶＬ０と一致するような値に設定する。この場合において、使用者２００がＬＣＤ１１に５〔ｃｍ〕よりも近づいた場合、判別回路３０ではＬ０＜ＴＨ２と判断し、出力値Ｃ１として“２”を出力する。ＣＰＵ５０は、判別回路３０の出力信号Ｃ１が“２”の場合に、バックライトコントローラ１４への出力値Ｂ０を“１”、すなわち、バックライト１３の明るさを最も暗くする値に設定する。出力値Ｃ１が“０”又は“１”の場合は、出力値Ｂ０を“１６”にして、バックライト１３の明るさを最大に設定する。
【００４２】
また、グラフィックエンジン４０は、ＣＰＵ５０と同様に、判別回路３０からの出力信号Ｃ１を受けて、Ｃ１が“２”の場合は、信号Ｃ２により表示ドライバ１２に対し、ＬＣＤ１１が消費電力最小になるスタンバイ状態になるように、制御信号Ｃ２として“１”を出力し、Ｃ１が“０”又は“１”の場合は、通常の動作状態に設定するため、制御信号Ｃ２として“０”を出力する。
【００４３】
以上に説明したように、実施の形態２に係る携帯電話装置１０２によれば、実施の形態１の場合と同様に、ＬＣＤ１１から使用者２００までの距離が変化しても常に使用者にとって最適な画像が表示デバイス１０に表示でき、また、使用者が視認できないほどＬＣＤ１１に近づいた場合（例えば、ＬＣＤ１１がポケットやカバン内に置かれたとき）には、バックライト１３の輝度及び／又は表示ドライバ１２の状態を制御するので、より一層、消費電力を削減できるという効果がある。
【００４４】
なお、実施の形態２の説明においては、ＬＣＤ１１の前の物体が５〔ｃｍ〕より近づいた場合に、ＬＣＤ１１のバックライト１３の輝度を最低輝度にする場合を説明したが、判別回路３０に入力される閾値を増やし、ＬＣＤ１１から使用者２００の目までの距離に応じて、例えば、目を近づけ過ぎた場合には輝度を幾分低下させて（中間輝度にして）眼精疲労を生じにくくするなどのように、段階的に輝度を制御することも可能である。
【００４５】
また、実施の形態２において、上記以外の点は、上記実施の形態１の場合と同じである。
【図面の簡単な説明】
【００４６】
【図１】本発明の実施の形態１に係る携帯電話装置の構成を概略的に示すブロック図である。
【図２】実施の形態１に係る携帯電話装置の超音波近接センサにおける計測距離と出力信号のレベルの関係を示す図である。
【図３】実施の形態１に係る携帯電話装置とその使用者の位置関係を示す図である。
【図４】（ａ）及び（ｂ）は、実施の形態１に係る携帯電話装置におけるＬＣＤと超音波近接センサの取り付け位置の一例を示す正面図及び側面図である。
【図５】実施の形態１に係る携帯電話装置の判別回路における処理内容を示すフローチャートである。
【図６】本発明の実施の形態２に係る携帯電話装置の構成を概略的に示すブロック図である。
【図７】実施の形態２に係る携帯電話装置の判別回路における処理内容を示すフローチャートである。
【符号の説明】
【００４７】
１０  表示デバイス、  １１  ＬＣＤ、  １２  表示ドライバ、  １３  バックライト、  １４  バックライトコントローラ、  １５  バックライトユニット、  ２０  超音波近接センサ、  ３０  判別回路、  ４０  グラフィックエンジン、  ５０  ＣＰＵ、  １０１，１０２  携帯電話装置、  ２００  使用者。
【図１】
2006332726.tif 000003
【図２】
2006332726.tif 000004
【図３】
2006332726.tif 000005
【図４】
2006332726.tif 000006
【図５】
2006332726.tif 000007
【図６】
2006332726.tif 000008
【図７】
2006332726.tif 000009